(57)【特許請求の範囲】
【請求項１】
洗濯機本体内に弾性的に支持された水受け槽と、前記水受け槽内に回転自在に配設され回転することで内部に投入された洗濯物が持ち上げられ落下し前記洗濯物が洗濯される回転ドラムと、前記回転ドラムを回転駆動するモータと、前記水受け槽内に水を給水する給水弁と、前記モータおよび給水弁等の動作を制御し洗い、すすぎ、脱水などの各行程を逐次制御する制御手段と、前記水受け槽の水位を検知する水位検知手段とを備え、前記制御手段は、前記洗い行程の給水開始前において、前記回転ドラム内の洗濯物の量を検知するようにし、前記洗濯物の量が第１の所定量未満であると検知したとき、前記洗い、すすぎ行程において、前記水受け槽の水位を前記洗濯物の量が前記第１の所定量より多い第２の所定量以上の場合の所定水位より高くするとともに、前記回転ドラムの回転数を前記洗濯物の量が前記第２の所定量以上の場合の所定回転数より高くするように構成したドラム式洗濯機。
【請求項２】
洗濯機本体内に弾性的に支持された水受け槽と、前記水受け槽内に回転自在に配設され回転することで内部に投入された洗濯物が持ち上げられ落下し前記洗濯物が洗濯される回転ドラムと、前記回転ドラムを回転駆動するモータと、前記水受け槽内に水を給水する給水弁と、前記モータおよび給水弁等の動作を制御し洗い、すすぎ、脱水などの各行程を逐次制御する制御手段と、前記水受け槽の水位を検知する水位検知手段とを備え、前記制御手段は、前記洗い行程の給水開始前において、前記回転ドラム内の洗濯物の量を検知するようにし、前記洗濯物の量が第１の所定量未満であると検知したとき、前記洗い、すすぎ行程において、前記水受け槽の水位を前記洗濯物の量が前記第１の所定量より多い第２の所定量以上の場合の所定水位より高くするとともに、前記回転ドラムの回転数を前記洗濯物の量が前記第２の所定量以上の場合の所定回転数より低くするように構成したドラム式洗濯機。
【発明の詳細な説明】
【０００１】
【発明の属する技術分野】
本発明は、略水平方向に回転自在に配設した回転ドラム内で洗い、すすぎ、脱水などの各行程を逐次制御するドラム式洗濯機に関するものである。
【０００２】
【従来の技術】
従来、この種のドラム式洗濯機は図４に示すように構成していた。以下、その構成について説明する。
【０００３】
図に示すように、回転ドラム１は、外周部に多数の通水孔２を全面に設け、水受け槽３内に回転自在に配設している。回転ドラム１の回転中心に略水平方向に設けた回転軸４の一端を固定し、回転軸４の他端にドラムプーリー５を固定している。モータ６は、ベルト７によりドラムプーリー５と連結し、回転ドラム１を回転駆動する。回転ドラム１の開口部に蓋８を開閉自在に設けている。
【０００４】
水受け槽３は、洗濯機本体９よりばね体１０で揺動可能に吊り下げ、防振ダンパー１１により脱水起動時の振動が低減され、かつ定常脱水時の振動が洗濯機本体９に伝達されないように防振支持するとともに、脱水時の振動を低減するバランサー１２を設けている。ヒータ１３は、水受け槽３内の洗濯水を加熱するものである。
【０００５】
水受け槽３の下部に排水用のホース１４の一端を接続し、ホース１４の他端を排水ポンプ１５に接続して水受け槽３内の洗濯水を排水するようにしている。給水弁１６は水受け槽３内に水を給水するものである。制御装置１７は、モータ６、ヒータ１３、排水ポンプ１５、給水弁１６などの動作を制御し、洗い、すすぎ、脱水などの一連の行程を逐次制御する。
【０００６】
上記構成において動作を説明する。蓋８を開いて回転ドラム１内に洗濯物を投入し、電源スイッチ（図示せず）をオンした後、制御装置１７に設けたスタートスイッチ（図示せず）を操作して運転を開始すると、給水弁１６が動作して給水し、水位検知手段（図示せず）により所定の水位を検知すると給水を停止し、モータ６を駆動する。洗い行程では、洗濯物に水が含まれるため補給水しながら、回転ドラム１はモータ６によって所定の回転数および所定の時間において正転、停止、反転、停止駆動され、回転ドラム１内の洗濯物は持ち上げられて水面上に落下される。
【０００７】
このとき、ヒータ１３に通電して水受け槽３内の洗濯水を所定の温度に制御しながら加熱する。洗い行程が終了すると、排水ポンプ１５が動作して水受け槽３内の洗濯水を排水する。すすぎ行程においても洗い行程と同様の動作を行う。
【０００８】
脱水行程では、回転ドラム１は高速で回転駆動され、洗濯物は回転ドラム１の外周部に張り付いて遠心脱水される。このとき、回転ドラム１内の洗濯物の片寄り、すなわちアンバランスが生じると、回転ドラム１、水受け槽３などの揺動体は振動するが、脱水起動時は防振ダンパー１１により揺動体の振動を減衰し、定常脱水時は防振ダンパー１１の防振機構により洗濯機本体９に伝達されることはない。
【０００９】
【発明が解決しようとする課題】
このような従来の構成では、洗い、すすぎ行程中の回転ドラム１の駆動は、回転ドラム１内に投入される洗濯物の量に関わらず、水受け槽３の水位と、回転ドラム１の回転数と、回転ドラム１を駆動する稼働率が各々一定条件であった。このため、洗濯物の量が少ない場合でも洗濯物の量が多い時と同等の機械力が洗濯物全体に加わるので、単位布量当たりの機械力は多くなり、よく洗える反面、洗濯物の表面の毛羽立ち、毛玉の発生や、顔料プリント柄のひび割れなどの布傷みが多くなり、仕上がりが悪くなるとともに、洗濯物の表面が荒れてざらついたり、布に張りがでて風合いが硬くなるという問題を有していた。
【００１０】
本発明は上記課題を解決するもので、洗濯物の量が少ない場合でも、洗濯後の洗濯物の布傷みを低減して、仕上がりをよくするとともに、風合いをよくすることを目的としている。
【００１１】
【課題を解決するための手段】
本発明は上記目的を達成するために、洗濯物を収納し回転することで内部に投入された洗濯物が持ち上げられ落下し洗濯物が洗濯される回転ドラムをモータにより駆動し、給水弁により水受け槽内に水を給水し、制御手段によりモータおよび給水弁等の動作を制御して洗い、すすぎ、脱水などの各行程を逐次制御する際に、洗い行程の給水開始前において、回転ドラム内の洗濯物の量を検知するようにし、前記洗濯物の量が第１の所定量より少ないと検知した場合、洗い、すすぎ行程において、水受け槽の水位を洗濯物の量が第１の所定量より多い第２の所定量以上の場合の所定水位より高くするとともに、回転ドラムの回転数を洗濯物の量が第２の所定量以上の場合の所定回転数より高くするものである。
【００１２】
また、洗濯物を収納し回転することで内部に投入された洗濯物が持ち上げられ落下し洗濯物が洗濯される回転ドラムをモータにより駆動し、給水弁により水受け槽内に水を給水し、制御手段によりモータおよび給水弁等の動作を制御して洗い、すすぎ、脱水などの各行程を逐次制御する際に、洗い行程の給水開始前において、回転ドラム内の洗濯物の量を検知するようにし、前記洗濯物の量が第１の所定量より少ないと検知した場合、洗い、すすぎ行程において、水受け槽の水位を洗濯物の量が第１の所定量より多い第２の所定量以上の場合の所定水位より高くするとともに、回転ドラムの回転数を洗濯物の量が第２の所定量以上の場合の所定回転数より低くするものである。
【００１３】
これにより、洗濯物の量が少ない場合でも、洗濯後の洗濯物の布傷みを低減して、仕上がりをよくするとともに、風合いをよくすることができる。
【００１４】
【発明の実施の形態】
本発明の請求項１に記載の発明は、洗濯機本体内に弾性的に支持された水受け槽と、前記水受け槽内に回転自在に配設され回転することで内部に投入された洗濯物が持ち上げられ落下し前記洗濯物が洗濯される回転ドラムと、前記回転ドラムを回転駆動するモータと、前記水受け槽内に水を給水する給水弁と、前記モータおよび給水弁等の動作を制御し洗い、すすぎ、脱水などの各行程を逐次制御する制御手段と、前記水受け槽の水位を検知する水位検知手段とを備え、前記制御手段は、前記洗い行程の給水開始前において、前記回転ドラム内の洗濯物の量を検知するようにし、前記洗濯物の量が第１の所定量未満であると検知したとき、前記洗い、すすぎ行程において、前記水受け槽の水位を前記洗濯物の量が前記第１の所定量より多い第２の所定量以上の場合の所定水位より高くするとともに、前記回転ドラムの回転数を前記洗濯物の量が前記第２の所定量以上の場合の所定回転数より高くするように構成したものであり、洗濯物の量が少ない場合、水受け槽の水位を高くし給水量を増やすことで、洗濯物の間の水がクッションとなり、洗濯物に対する機械力をやわらげることができ、同時に、回転数を上げることで回転ドラムの駆動時に洗濯物を回転ドラム内に張り付きやすくして、水面に落下するときの衝撃を少なくできる。したがって、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【００１５】
請求項２に記載の発明は、洗濯機本体内に弾性的に支持された水受け槽と、前記水受け槽内に回転自在に配設され回転することで内部に投入された洗濯物が持ち上げられ落下し前記洗濯物が洗濯される回転ドラムと、前記回転ドラムを回転駆動するモータと、前記水受け槽内に水を給水する給水弁と、前記モータおよび給水弁等の動作を制御し洗い、すすぎ、脱水などの各行程を逐次制御する制御手段と、前記水受け槽の水位を検知する水位検知手段とを備え、前記制御手段は、前記洗い行程の給水開始前において、回転ドラム内の洗濯物の量を検知するようにし、前記洗濯物の量が第１の所定量未満であると検知したとき、前記洗い、すすぎ行程において、前記水受け槽の水位を前記洗濯物の量が前記第１の所定量より多い第２の所定量以上の場合の所定水位より高くするとともに、前記回転ドラムの回転数を前記洗濯物の量が前記第２の所定量以上の場合の所定回転数より低くするよう構成したものであり、洗濯物の量が少ない場合、水受け槽の水位を高くし給水量を増やすことで、洗濯物の間の水がクッションとなり洗濯物に対する機械力をやわらげることができ、同時に、回転数を下げることで回転ドラムの駆動時に洗濯物が上部位置まで持ち上がらず、回転ドラム内の下方でぐるぐると回るようになり、水面に落下するときの衝撃を少なくできる。したがって、洗濯物の量が少ない場合でも、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【００１６】
【実施例】
以下、本発明の実施例について、図面を参照しながら説明する。なお、従来例と同じ構成のものは同一符号を付して説明を省略する。
【００１７】
（実施例１）
図２および図３に示すように、第１のモータ（モータ）１８は、回転ドラム１を所定の回転数Ｎ１（たとえば、５３ｒｐｍ）で回転させて、洗いまたはすすぎをするものであり、第２のモータ（モータ）１９は、回転ドラム１を所定の回転数Ｎ２（たとえば、１０００ｒｐｍ）で回転させて脱水する。これら第１のモータ１８および第２のモータ１９は、インダクションモータで構成し、それぞれベルト２０、２１を介して従動プーリー２２に連結している。
【００１８】
従動プーリー２２は、２種の減速比を有しており、第１のモータ１８をベルト２０を介して減速比が大きい従動プーリー２２ａと連結し、第２のモータ１９をベルト２１を介して減速比が小さい従動プーリー２２ｂと連結し、回転ドラム１の回転中心に一端を固定した回転軸４の他端に固定している。
【００１９】
制御装置２３は、ヒータ１３、排水ポンプ１５、給水弁１６、第１のモータ１８、第２のモータ１９などの動作を制御するもので、図１に示すように構成している。制御手段２４は、マイクロコンピュータで構成し、双方向性サイリスタなどで構成したパワースイッチング手段２５を介して、ヒータ１３、排水ポンプ１５、給水弁１６、第１のモータ１８、第２のモータ１９などを制御し、洗い、すすぎ、脱水の一連の行程を逐次制御する。
【００２０】
入力設定手段２６は、使用者が必要なコースまたは行程の設定、動作のスタートなどを入力するもので、制御手段２４に入力している。表示手段２７は、入力設定手段２６による設定内容、動作状態などを表示する。水位検知手段２８は、水受け槽３内の水位を検知し、水温検知手段２９は、水受け槽３内の水温を検知して、それぞれ制御手段２４に入力している。回転数検知手段３０は、第１のモータ１８の回転数を検知することで回転ドラム１の回転数を検知し、制御手段２４に入力している。記憶手段３１は、一連の制御に必要なデータなどを記憶している。なお、３２は電源スイッチ、３３は商用電源である。
【００２１】
制御手段２４は、動作を開始したとき、第１のモータ１８で回転ドラム１を所定の回転数Ｎ１（５３ｒｐｍ）で駆動して回転ドラム内の洗濯物をほぐした後、回転ドラム１を第２のモータ１９によって所定の回転数Ｎ３（たとえば６００ｒｐｍ）に立ち上げ、第２のモータ１９の通電を遮断し、回転ドラム１の惰性回転時の回転数の変化、たとえば回転数が５００ｒｐｍから６秒経過後の回転数により回転ドラム１内に投入された洗濯物の量（布量）を検知するようにしている。
【００２２】
上記構成において動作を説明すると、蓋８を開いて回転ドラム１内に洗濯物を投入し、電源スイッチ３２をオンした後、入力設定手段２６により洗い行程から脱水行程まで連続して設定し、スタート・一時停止スイッチ（図示せず）をオンして動作を開始すると、まず、第１のモータ１８で回転ドラム１を所定の回転数Ｎ１（５３ｒｐｍ）で駆動して回転ドラム内の洗濯物をほぐした後、回転ドラム１を第２のモータ１９によって所定の回転数Ｎ３（たとえば６００ｒｐｍ）に立ち上げ、第２のモータ１９の通電を遮断し、回転ドラム１の惰性回転時の回転数の変化、たとえば回転数が５００ｒｐｍから６秒経過後の回転数により回転ドラム１内に投入された洗濯物の量（布量）を検知する。
【００２３】
その後、給水弁１６が動作して給水し、水位検知手段２８により所定の水位を検知すると給水を停止し、第１のモータ１８により回転ドラム１を駆動する。洗い行程では、洗濯物に水が含まれるため補給水しながら、回転ドラム１は駆動され、回転ドラム１内の洗濯物は持ち上げられて水面上に落下される。
【００２４】
このとき、ヒータ１３に通電して水受け槽３内の洗濯水を所定の温度に制御しながら加熱する。洗い行程が終了すると、排水ポンプ１５が動作して水受け槽３内の洗濯水を排水する。すすぎ行程においても洗い行程と同様の動作を行う。脱水行程では、回転ドラム１は高速で回転駆動され、洗濯物は回転ドラム１の外周部に張り付いて遠心脱水される。
【００２５】
回転ドラム１内の洗濯物を第１の所定量（たとえば１．０ｋｇ）未満と検知したとき、洗濯物が第１の所定量より多い第２の所定量（たとえば４．０ｋｇ）以上のときに比べ、洗い、すすぎ行程において、水受け槽３の水位を洗濯物が第２の所定量の場合の所定水位（たとえば１７０ｍｍ）より高い水位（たとえば２００ｍｍ）に上げて給水量を増やすとともに、洗濯物が第２の所定量の場合の所定回転数Ｎ１（５３ｒｐｍ）より高い回転数Ｎ４（たとえば５８ｒｐｍ）で駆動する。
【００２６】
水受け槽３の水位を高くし給水量を増やすことで、洗濯物の間の水がクッションとなり、洗濯物に対する機械力をやわらげることができる。同時に回転数を上げることで、回転ドラム１の駆動時に洗濯物を回転ドラム１内に張り付きやすくして、水面に落下するときの衝撃を少なくできる。
【００２７】
これにより、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【００２８】
（実施例２）
図１における制御手段２４は、回転ドラム１内の洗濯物の量を第１の所定量未満と検知したとき、洗い、すすぎ行程の水受け槽３の水位を洗濯物が第２の所定量の場合の所定水位より高くするとともに、回転ドラム１の回転数を洗濯物が第２の所定量の場合の所定回転数より下げるよう構成している。他の構成は上記実施例１と同じである。
【００２９】
上記構成において動作を説明すると、蓋８を開いて回転ドラム１内に洗濯物を投入し、電源スイッチ３２をオンした後、入力設定手段２６により洗い行程から脱水行程まで連続して設定し、スタート・一時停止スイッチ（図示せず）をオンして動作を開始すると、まず、第１のモータ１８で回転ドラム１を所定の回転数Ｎ１（たとえば５３ｒｐｍ）で駆動して回転ドラム内の洗濯物をほぐした後、回転ドラム１を第２のモータ１９によって所定の回転数Ｎ３（たとえば６００ｒｐｍ）に立ち上げ、第２のモータ１９の通電を遮断し、回転ドラム１の惰性回転時の回転数の変化、たとえば回転数が５００ｒｐｍから６秒経過後の回転数により回転ドラム１内に投入された洗濯物の量（布量）を検知する。
【００３０】
その後、給水弁１６が動作して給水し、水位検知手段２８により所定の水位を検知すると給水を停止し、第１のモータ１８により回転ドラム１を駆動する。洗い行程では、洗濯物に水が含まれるため補給水しながら、回転ドラム１は駆動され、回転ドラム１内の洗濯物は持ち上げられて水面上に落下される。
【００３１】
このとき、ヒータ１３に通電して水受け槽３内の洗濯水を所定の温度に制御しながら加熱する。洗い行程が終了すると、排水ポンプ１５が動作して水受け槽３内の洗濯水を排水する。すすぎ行程においても洗い行程と同様の動作を行う。脱水行程では、回転ドラム１は高速で回転駆動され、洗濯物は回転ドラム１の外周部に張り付いて遠心脱水される。
【００３２】
回転ドラム１内の洗濯物を第１の所定量（たとえば１．０ｋｇ）未満と検知したとき、洗濯物が第１の所定量より多い第２の所定量（たとえば４．０ｋｇ）以上のときに比べ、洗い、すすぎ行程において、水受け槽３の水位を洗濯物が第２の所定量の場合の所定水位（たとえば１７０ｍｍ）より高い水位（たとえば２００ｍｍ）に上げて給水量を増やすとともに、洗濯物が第２の所定量の場合の所定回転数Ｎ１（５３ｒｐｍ）より低い回転数Ｎ５（たとえば４８ｒｐｍ）で駆動する。
【００３３】
水受け槽３の水位を高くし給水量を増やすことで、洗濯物の間の水がクッションとなり、洗濯物に対する機械力をやわらげることができる。同時に回転数を下げることで、回転ドラム１の駆動時に洗濯物が上部位置まで持ち上がらず、回転ドラム１内の下方でぐるぐると回るようになり、水面に落下するときの衝撃を少なくできる。
【００３４】
これにより、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【００３５】
（実施例３）
図１における制御手段２４は、回転ドラム１内の洗濯物の量を第１の所定量未満と検知したとき、洗い、すすぎ行程における回転ドラム１の単位時間当たりに駆動する割合、すなわち稼働率を洗濯物が第２の所定量の場合の所定稼働率より低くしている。他の構成は上記実施例１と同じである。
【００３６】
上記構成において動作を説明すると、蓋８を開いて回転ドラム１内に洗濯物を投入し、電源スイッチ３２をオンした後、入力設定手段２６により洗い行程から脱水行程まで連続して設定し、スタート・一時停止スイッチ（図示せず）をオンして動作を開始すると、まず、第１のモータ１８で回転ドラム１を所定の回転数Ｎ１（たとえば５３ｒｐｍ）で駆動して回転ドラム内の洗濯物をほぐした後、回転ドラム１を第２のモータ１９によって所定の回転数Ｎ３（たとえば６００ｒｐｍ）に立ち上げ、第２のモータ１９の通電を遮断し、回転ドラム１の惰性回転時の回転数の変化、たとえば回転数が５００ｒｐｍから６秒経過後の回転数により回転ドラム１内に投入された洗濯物の量（布量）を検知する。
【００３７】
その後、給水弁１６が動作して給水し、水位検知手段２８により所定の水位を検知すると給水を停止し、第１のモータ１８により回転ドラム１を駆動する。洗い行程では、洗濯物に水が含まれるため補給水しながら、回転ドラム１は駆動され、回転ドラム１内の洗濯物は持ち上げられて水面上に落下される。
【００３８】
このとき、ヒータ１３に通電して水受け槽３内の洗濯水を所定の温度に制御しながら加熱する。洗い行程が終了すると、排水ポンプ１５が動作して水受け槽３内の洗濯水を排水する。すすぎ行程においても洗い行程と同様の動作を行う。脱水行程では、回転ドラム１は高速で回転駆動され、洗濯物は回転ドラム１の外周部に張り付いて遠心脱水される。
【００３９】
回転ドラム１内の洗濯物を第１の所定量（たとえば１．０ｋｇ）未満と検知したとき、洗濯物が少なくとも第１の所定量より多い第２の所定量（たとえば４．０ｋｇ）以上のときに比べ、洗い、すすぎ行程において、洗濯物が第２の所定量の場合の所定の回転ドラム１の単位時間当たりに駆動する割合、すなわち稼働率（たとえば２０秒正転駆動、３秒停止、２０秒反転駆動、３秒停止の場合、稼働率は４０秒／４６秒＝８７％）より低い稼働率（たとえば１０秒回転駆動、１３秒停止の場合、稼働率は２０秒／４６秒＝４３％）で駆動する。
【００４０】
これにより、洗濯物の量が少ない場合に洗濯物に加わる機械力を少なくすることができ、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【００４１】
なお、上記各実施例において、回転ドラム１内の洗濯物の量を第１の所定量（たとえば１．０ｋｇ）未満と検知したとき、第１の所定量より多い第２の所定量（たとえば４．０ｋｇ）以上に比べてドラム回転数およびドラムを駆動する稼働率を変化させたが、ドラム回転数およびドラムを駆動する稼働率は洗濯物の量により複数用意してもよく、要は洗濯物の量が少なくなれば、水位を所定水位より上げるとともにドラム回転数を所定回転数より変化させる、あるいは所定稼働率より低くすればよいものである。
【００４２】
また、同様に、上記各実施例において、洗濯物が第１の所定量（たとえば１．０ｋｇ）と第２の所定量（たとえば４．０ｋｇ）を異なった場合で説明したが、第１の所定量と第２の所定量は同じでもよく（たとえば第１の所定量は３．０ｋｇ、第２の所定量は３．０ｋｇ）、要は洗濯物の量が少ないときと多いときを区分できればよいものである。
【００４３】
【発明の効果】
以上のように本発明の請求項１に記載の発明によれば、洗濯機本体内に弾性的に支持された水受け槽と、前記水受け槽内に回転自在に配設され回転することで内部に投入された洗濯物が持ち上げられ落下し前記洗濯物が洗濯される回転ドラムと、前記回転ドラムを回転駆動するモータと、前記水受け槽内に水を給水する給水弁と、前記モータおよび給水弁等の動作を制御し洗い、すすぎ、脱水などの各行程を逐次制御する制御手段と、前記水受け槽の水位を検知する水位検知手段とを備え、前記制御手段は、前記洗い行程の給水開始前において、前記回転ドラム内の洗濯物の量を検知するようにし、前記洗濯物の量が第１の所定量未満であると検知したとき、前記洗い、すすぎ行程において、前記水受け槽の水位を前記洗濯物の量が前記第１の所定量より多い第２の所定量以上の場合の所定水位より高くするとともに、前記回転ドラムの回転数を前記洗濯物の量が前記第２の所定量以上の場合の所定回転数より高くするように構成したから、洗濯物の量が少ない場合、水受け槽の水位を高くし給水量を増やすことで、洗濯物の間の水がクッションとなり、洗濯物に対する機械力をやわらげることができ、同時に、回転数を上げることで回転ドラムの駆動時に洗濯物を回転ドラム内に張り付きやすくして、水面に落下するときの衝撃を少なくできる。したがって、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【００４４】
また、請求項２に記載の発明によれば、洗濯機本体内に弾性的に支持された水受け槽と、前記水受け槽内に回転自在に配設され回転することで内部に投入された洗濯物が持ち上げられ落下し前記洗濯物が洗濯される回転ドラムと、前記回転ドラムを回転駆動するモータと、前記水受け槽内に水を給水する給水弁と、前記モータおよび給水弁等の動作を制御し洗い、すすぎ、脱水などの各行程を逐次制御する制御手段と、前記水受け槽の水位を検知する水位検知手段とを備え、前記制御手段は、前記洗い行程の給水開始前において、回転ドラム内の洗濯物の量を検知するようにし、前記洗濯物の量が第１の所定量未満であると検知したとき、前記洗い、すすぎ行程において、前記水受け槽の水位を前記洗濯物の量が前記第１の所定量より多い第２の所定量以上の場合の所定水位より高くするとともに、前記回転ドラムの回転数を前記洗濯物の量が前記第２の所定量以上の場合の所定回転数より低くするよう構成したから、洗濯物の量が少ない場合、水受け槽の水位を高くし給水量を増やすことで、洗濯物の間の水がクッションとなり洗濯物に対する機械力をやわらげることができ、同時に、回転数を下げることで回転ドラムの駆動時に洗濯物が上部位置まで持ち上がらず、回転ドラム内の下方でぐるぐると回るようになり、水面に落下するときの衝撃を少なくできる。したがって、洗濯物の量が少ない場合でも、洗濯後の洗濯物の表面の毛羽立ち、毛玉の発生や、顔料プリント柄のひび割れなどの布傷みを少なくし、仕上がりをよくすることができるとともに、洗濯物の表面の荒れと布の張りを抑えて、風合いをよくすることができる。
【図面の簡単な説明】
【図１】  本発明の第１の実施例のドラム式洗濯機のブロック回路図
【図２】  同ドラム式洗濯機の断面図
【図３】  同ドラム式洗濯機の一部切欠した背面図
【図４】  従来のドラム式洗濯機の断面図
【符号の説明】
１  回転ドラム
３  水受け槽
９  洗濯機本体
１８  第１のモータ（モータ）
１９  第２のモータ（モータ）
２４  制御手段
２８  水位検知手段
【図１】
0003826547.tif 000002
【図２】
0003826547.tif 000003
【図３】
0003826547.tif 000004
【図４】
0003826547.tif 000005